(57)【要約】【課題】  本発明は、動物を飼育するための飼育箱である。通常の飼育箱では温度調整がうまくいかず体調を崩すような動物に対して飼育箱の環境を改善し動物の健全な発育を促す飼育箱を提供するものである。【解決手段】  飼育箱の壁面と底面に空洞を設けて水を内包させる。そして温度調節手段を内包した水に対して用いる。これにより動物への温度の伝わり方を緩やかにし体への負担を少なくした。【選択図】  図２
2006271360.tif 000002
【特許請求の範囲】
【請求項１】
飼育箱の壁面と底面に空洞を設け、熱の緩衝材となる水を充填内包することを特徴とする健康飼育箱。
【請求項２】
請求項１に記載の飼育箱内部の温度調節を内包した水に温度調節手段を用いることで温度調節することを特徴とする健康飼育箱。
【請求項３】
請求項１に記載した飼育箱の熱の緩衝材に水を用いることを特徴とする健康飼育箱。
【発明の詳細な説明】
【技術分野】
【０００１】  本発明は、飼育動物の健康管理のための環境設定機能を付与した健康飼育箱に関するものである。
【背景技術】
【０００２】  飼育箱で飼育されている動物の多くは体の小さな小動物や保育が必要なそれらの仔ども手乗り鳥の雛などである。これらは周囲の環境の変化、特に温度の変化に弱いので必要時には温度調節手段を用いて飼育箱内部の温度を調節することがある。しかし、それらの手段を用いても体調を崩し、ひどい時には死に至る場合もある。【０００３】  従来の温度調節手段は比較的体が大きく体力もある犬猫用に作られたものが中心で小動物用もこれらの転用が主になっていた（特許文献１参照。）。【０００４】  また飼育箱もデザイン重視の傾向にあり動物の健康管理を重視するものが意外と少なかった（特許文献２参照。）。
【特許文献１】  特開平０６−７０５４８号公報
【特許文献２】  特開２００１−３３３６５８号公報
【発明の開示】
【発明が解決しようとする課題】
【０００５】  従来の飼育箱ではプラスチックやガラスが材質として使われているが熱の伝わりがよく周囲と飼育箱内部の温度に大きな差が生まれるほど温度調節手段の効果を飼育箱内部に留め、行き亘らすことができなかった。そのため動物が必要とする温度に達せず、動物の体調を管理しきれなかった。【０００６】  また従来は温度調節手段を飼育箱内部で使用していた。これは限られた空間の中で使用することで急激な温度変化を生じさせていた。そして温度調節手段による室内空間の狭小にもなっていた。このようなちょっとした精神的、肉体的ストレスが体の機能低下につながり体調不良につながったと考える。【０００７】  本発明は、以上の問題点を解決し、飼育動物の健康管理のための環境設定機能を付与した飼育箱を提供するものである。
【課題を解決するための手段】
【０００８】  目的を達成するために本発明の健康飼育箱は、飼育箱本体の壁面と底面に空洞を設けそこに熱の伝わり方が緩やかな特性を持つ水を充填し、熱の緩衝材として用いることとしたまた水の充填には注排水口を上部に設け、その部分は着脱できるようにした。このように水を内包したことにより周囲と飼育箱内部の熱の移動を緩やかにし、周囲との急激な温度変化に対処できるようになった。【０００９】  水を熱の緩衝材として内包することで従来の材質をそのまま使うことができる。また水自体も透明なので観察するための妨げにならない。そして動物のストレスの一因である周囲の騒音も水を内包することで内部に伝わりにくくなり、飼育箱の静穏性が向上することとなる。【００１０】  温度の調節方法には内包した水に温度調節手段を用いることとした。温度調節手段を水中にいれて使用することで水に急激な温度変化を与える。これにより必要な水温を得た後水の特性によりその温度を保持し、材質を通して間接的に飼育箱内部の温度を調節する。これにより内部のスペースを減らすことなく飼育箱内部を均一な温度にすることができる。【００１１】  水の注排水口と温度調節手段の投入口とを共有とし、一部コードの出口とする切れ込みを設けておく。【００１２】  上蓋を取り付けるための固定用フックを壁面各所に設ける。【００１３】  加冷の場合には冷水、氷、保冷剤を使用する。この場合、これらと内包している水を必要に応じて交換することとする。これら手段は周囲の環境によってその効果の持続時間が違うので適時交換することが好適である。また使用環境によっては結露が起きる場合があるその場合、下に受け皿を敷くこととする。【００１４】  加温の場合、水中用ヒーターとサーモスタットを組み合わせて用いる。電力消費をおさえるために壁面の外側の一部に断熱材を用いると効果的である。【００１５】  また一部の外壁と内壁を一体化させて動物の出入り口を設けることで犬猫などの中型動物の寝床や鳥などの巣箱にも応用可能である。
【発明の効果】
【００１６】  以上説明のように本発明によれば、周囲と飼育箱内部との熱交換を緩やかにして急激な温度変化に対処できる。これにより動物の体温調節機能の負担を軽減することができる。【００１７】  熱の緩衝材として水を使用することで従来の材質を変えることなく使用でき、観察するための妨げにならない。また周囲の騒音も伝わりにくくしストレスの軽減につながる。【００１８】  温度調節手段を水中で用いることにより飼育箱の内部スペースを減らさずにしかも均一に飼育箱内部の温度を調節でき、間接的な温度調節で動物の負担を軽減できる。【００１９】  壁面に動物の出入り口を設けることで上記に説明したような効果を得られる寝床や巣箱に応用することができる。
【発明を実施するための最良の形態】
【００２０】  以下、本発明の実施の形態を説明する。
（イ）プラスチックやガラスなど従来飼育箱に使われている材質を使って飼育箱の外枠１と内枠２を形成し、入水時の浮力による内枠の突出を防ぐため上部にて固定もしくは一体成型する。その際、温度調節手段６を投入する空洞の一部を広めに形成するのが好適である。【００２１】  （ロ）温度調節手段投入と水の注排水口４のために上部の一部を着脱できるようにするまた着脱部分５に加温時のヒーターのコードを外にだすための切れ込みを作っておく。【００２２】  （ハ）上記（イ）で述べた飼育箱に水を充填する。水は定期的に交換するのが望ましい。【００２３】  （ニ）（イ）で述べた飼育箱には上蓋を取り付けるためのフック７を壁面の各所に設け、着脱ができるようにする。【００２４】  （ホ）温度調節手段は上部に作った投入口より用いる。ヒーターは熱を効率よく伝えるために下部中央辺りに設置するのが望ましい。また外枠の一部に断熱材を巻くことで電気の節約になる。また加冷時の状況により結露が発生することがある。その場合飼育箱の下に受け皿を設けることが望ましい。【００２５】  （ヘ）応用変形例として壁面の外枠と内枠の一部を一体成型し動物の出入り口８を設ける。これにより、動物の寝床や巣箱にすることもできる。
【図面の簡単な説明】
【００２６】
【図１】  本発明の実施形態を示す部分断面図
【図２】  本発明の外観斜視図と温度調節手段
【図３】  本発明の応用変形図
【符号の説明】
【００２７】１  外枠
２  内枠
３  内部空洞
４  注排水および温度調節手段投入口
５  注排水および温度調節手段投入口着脱部分
６  温度調節手段
７  上蓋固定フック
８  動物の出入り口
【図１】
2006271360.tif 000003
【図２】
2006271360.tif 000004
【図３】
2006271360.tif 000005